(57)【要約】      （修正有）【課題】手を触れずに容器の内容物を処理することができる内容物処理具を提供する。【解決手段】内容物処理具１０は、長尺状の本体部１１と、本体部１１の一端側に配設される把持部１２と、本体部１１の他端側に配設される掴み部１３と、を備える。把持部１２及び本体部１１には、手で操作可能な操作部材９３が配設され、掴み部１３は、固定掴み部１４と、固定掴み部１４に対して回動可能な可動掴み部１５と、を有する。操作部材９３と可動掴み部１５とが連結され、操作部材９３の操作により、可動掴み部１５が固定掴み部１４に対して接近・離隔可能とされる。本体部１１には、本体部１１の長手方向に沿って、待機位置と進出位置との間を移動可能とされ、掴み部１３で容器Ｖを掴んだ状態において、容器Ｖの壁を貫通して穴を形成させる穴あけ部材１７０が配設されている。【選択図】図１５
0003233380.tif 000002
【実用新案登録請求の範囲】
【請求項１】
容器の内容物を排出するための内容物処理具であって、
長尺状の本体部と、前記本体部の一端側に配設される把持部と、前記本体部の他端側に配設される掴み部と、を備え、
前記把持部及び前記本体部には、手で操作可能な操作部材が配設され、
前記掴み部は、固定掴み部と、前記本体部又は前記固定掴み部に軸支され、前記固定掴み部に対して回動可能な可動掴み部と、を有し、
前記操作部材と前記可動掴み部とが連結され、
前記操作部材の操作により、前記可動掴み部が前記固定掴み部に対して接近・離隔可能とされ、
前記本体部には、前記本体部の長手方向に沿って、待機位置と進出位置との間を移動可能とされ、前記掴み部で前記容器を掴んだ状態において、前記容器の壁を貫通して穴を形成させる穴あけ部材が配設されていることを特徴とする内容物処理具。
【請求項２】
前記可動掴み部の回動軸に直交する方向で作業者が正対し、かつ、前記可動掴み部が前記作業者側となるように使用され、
前記穴あけ部材は、筒状に形成され、軸線を軸として回動可能とされ、
前記穴あけ部材の先端部には、前記穴あけ部材の軸線方向からみて、一端側と他端側の壁が切り欠かれて形成された、切欠きが配設され、
前記穴あけ部材が前記容器の壁を貫通するときに、前記切欠きが、前記可動掴み部の回動軸に直交する方向に配され、
前記可動掴み部には、前記内容物が前記作業者に吐出されることを防ぐカバー部材が配設され、
少なくとも前記本体部の下部には、前記内容物が前記作業者とは反対側に吐出されることを防ぐ防壁が配設されていることを特徴とする請求項１記載の内容物処理具。
【請求項３】
前記穴あけ部材の前記切欠きの近傍には、前記穴あけ部材の軸線方向において長い貫通孔として形成された、逃がし穴が配設され、
前記穴あけ部材が前記容器の壁を貫通するときに、前記逃がし穴が、前記可動掴み部とは反対側に配されることを特徴とする請求項２記載の内容物処理具。
【請求項４】
前記固定掴み部は、縦部と、前記縦部に直交する横部と、を有して、前記可動掴み部の回動軸線方向からみて略Ｌ字状で形成されていることを特徴とする請求項３記載の内容物処理具。
【請求項５】
前記固定掴み部は、一対の固定掴み片で構成され、
前記可動掴み部は、一対の可動掴み片で構成され、
前記穴あけ部材は、前記一対の固定掴み片間、かつ、前記一対の可動掴み片間、を移動可能とされていることを特徴とする請求項４記載の内容物処理具。
【請求項６】
前記カバー部材は、
一端側で前記本体部に軸支され、
前記本体部に軸支される部位以外の部位で、前記一対の可動掴み片間に架け渡された一対の柱部材により、前記カバー部材の回動方向において、隙間を有して挟まれるように配されていることを特徴とする請求項５記載の内容物処理具。
【請求項７】
前記穴あけ部材が、前記進出位置に移動したときの、前記先端部の位置は、前記固定掴み部の前記横部の、前記容器を受け止める受止面を超えた位置とされていることを特徴とする請求項４、５又は６記載の内容物処理具。
【請求項８】
前記固定掴み部の前記横部の先端側の地面に対向する側には、斜めに切り欠かれた逃がし部が配設されていることを特徴とする請求項４、５、６又は７記載の内容物処理具。
【請求項９】
前記本体部及び前記穴あけ部材には、前記本体部と前記穴あけ部材とが係止することにより、待機位置に保持する保持手段が配設されていることを特徴とする請求項１、２、３、４、５、６、７又は８記載の内容物処理具。
【考案の詳細な説明】
【技術分野】
【０００１】
本考案は、容器の内容物を処理可能な内容物処理具に関するものである。
【背景技術】
【０００２】
従来、高速道路の維持修繕業務では、休憩施設内、道路施設内、本線路肩のゴミの除去が行われる。その中で域内清掃及び路面清掃においては、捨てられたペットボトル等の容器は、作業者が、マジックハンド等で、容器を掴んで回収することが行われていた。
【考案の概要】
【考案が解決しようとする課題】
【０００３】
しかし、蓋が閉じられた容器内に封入された、液状の内容物の処理は、作業者が手で蓋を外して内容物を排出させていたが、容器内に汚物（尿等）が封入されている場合があり、処理するときに内容物が飛び散り、顔や衣服に付着することがあり、作業者の衛生面の安全確保ができなくなるおそれがあった。
【０００４】
本考案は、上記事情に鑑み、手を触れずに容器の内容物を処理することができる内容物処理具を提供することを目的とする。
【課題を解決するための手段】
【０００５】
請求項１記載の考案では、容器の内容物を排出するための内容物処理具であって、
長尺状の本体部と、前記本体部の一端側に配設される把持部と、前記本体部の他端側に配設される掴み部と、を備え、
前記把持部及び前記本体部には、手で操作可能な操作部材が配設され、
前記掴み部は、固定掴み部と、前記本体部又は前記固定掴み部に軸支され、前記固定掴み部に対して回動可能な可動掴み部と、を有し、
前記操作部材と前記可動掴み部とが連結され、
前記操作部材の操作により、前記可動掴み部が前記固定掴み部に対して接近・離隔可能とされ、
前記本体部には、前記本体部の長手方向に沿って、待機位置と進出位置との間を移動可能とされ、前記掴み部で前記容器を掴んだ状態において、前記容器の壁を貫通して穴を形成させる穴あけ部材が配設されている。
【０００６】
これによれば、固定掴み部で容器を受け止め、可動掴み部で挟み込むことで、様々な形状の容器を掴めるようにしたうえで、掴み部で容器を掴んだ状態において、穴あけ部材により、容器の壁を貫通して穴を形成させて、容器の内容物を排出させることが可能となるので、手を触れずに容器の内容物を処理することができる。
【０００７】
また、前記可動掴み部の回動軸に直交する方向で作業者が正対し、かつ、前記可動掴み部が前記作業者側となるように使用され、
前記穴あけ部材は、筒状に形成され、軸線を軸として回動可能とされ、
前記穴あけ部材の先端部には、前記穴あけ部材の軸線方向からみて、一端側と他端側の壁が切り欠かれて形成された、切欠きが配設され、
前記穴あけ部材が前記容器の壁を貫通するときに、前記切欠きが、前記可動掴み部の回動軸に直交する方向に配され、
前記可動掴み部には、前記内容物が前記作業者に吐出されることを防ぐカバー部材が配設され、
少なくとも前記本体部の下部には、前記内容物が前記作業者とは反対側に吐出されることを防ぐ防壁が配設されている。
【０００８】
これによれば、作業者の前後方向、換言すれば、可動掴み部の回動軸に直交する方向に、内容物の吐出を誘動したうえで、作業者に向かう内容物はカバー部材で防ぎ、作業者とは反対側に向かう内容物は防壁で防ぐ構成として、作業者に内容物が付着することを防止できる。
【０００９】
また、前記穴あけ部材の前記切欠きの近傍には、前記穴あけ部材の軸線方向において長い貫通孔として形成された、逃がし穴が配設され、
前記穴あけ部材が前記容器の壁を貫通するときに、前記逃がし穴が、前記可動掴み部とは反対側に配される。
【００１０】
これによれば、穴あけ部材で容器の壁を貫通して穴を形成するときに、逃がし穴から入る空気により、内容物を飛び散らなくさせることが可能となる。さらに、容器の破片による、穴あけ部材の詰まりの清掃を容易にすることが可能となる。
【００１１】
また、前記固定掴み部は、縦部と、前記縦部に直交する横部と、を有して、前記可動掴み部の回動軸線方向からみて略Ｌ字状で形成されている。
【００１２】
これによれば、固定掴み部の縦部と横部の二か所で容器と接したうえで、可動掴み部で挟み込むことになるので、容器を掴みやすくすることができる。
【００１３】
また、前記固定掴み部は、一対の固定掴み片で構成され、
前記可動掴み部は、一対の可動掴み片で構成され、
前記穴あけ部材は、前記一対の固定掴み片間、かつ、前記一対の可動掴み片間、を移動可能とされている。
【００１４】
これによれば、掴み部で容器を掴んだ状態において、穴あけ部材は、一対の固定掴み片と、一対の可動掴み片に、干渉しないように移動することにより、容器の壁を貫通して穴を形成することになるので、容器の壁を貫通する作業性を向上させることができる。
【００１５】
また、前記カバー部材は、
一端側で前記本体部に軸支され、
前記本体部に軸支される部位以外の部位で、前記一対の可動掴み片間に架け渡された一対の柱部材により、前記カバー部材の回動方向において、隙間を有して挟まれるように配されている。
【００１６】
これによれば、カバー部材を可動掴み部に直接固定すると、可動掴み部を回動させるときに、カバー部材が、本体部と干渉するおそれがあるが、カバー部材の回動軸と可動掴み部の回動軸とを異ならせて、一対の柱部材で、カバー部材の回動方向において、隙間を有してカバー部材を挟むことで、本体部と干渉することを防止できるので、可動掴み部の可動領域を確保することが可能となる。
【００１７】
また、前記穴あけ部材が、前記進出位置に移動したときの、前記先端部の位置は、前記固定掴み部の前記横部の、前記容器を受け止める受止面を超えた位置とされている。
【００１８】
これによれば、容器の、一端側の周壁と、他端側の周壁と、の二か所に穴を形成可能となるので、容器の内容物を確実に排出することが可能となる。
【００１９】
また、前記固定掴み部の前記横部の先端側の地面に対向する側には、斜めに切り欠かれた逃がし部が配設されている。
【００２０】
これによれば、容器を掴み部で挟み込むときに、地面と固定掴み部が干渉することを抑制できるので、掴み部で容器を掴む作業性を向上させることができる。
【００２１】
また、前記本体部及び前記穴あけ部材には、前記本体部と前記穴あけ部材とが係止することにより、待機位置に保持する保持手段が配設されている。
【００２２】
これによれば、穴あけ部材を使用しないときに、穴あけ部材が移動して、作業者が怪我をすることを防止することができる。
【図面の簡単な説明】
【００２３】
【図１】本考案の一実施形態としての内容物処理具の正面図である。
【図２】同実施形態の左側面図である。
【図３】同実施形態の右側面図である。
【図４】同実施形態の底面図である。
【図５】同実施形態の平面図である。
【図６】上ユニットの（ａ）は正面図、（ｂ）は右側面図、（ｃ）は平面図である。
【図７】第一形成部材の（ａ）は正面図、（ｂ）は右側面図である。
【図８】第二形成部材の（ａ）は背面図、（ｂ）は右側面図である。
【図９】第三形成部材の（ａ）は正面図、（ｂ）は右側面図である。
【図１０】第四形成部材の（ａ）は背面図、（ｂ）は右側面図である。
【図１１】操作杆の（ａ）は背面図、（ｂ）は右側面図である。
【図１２】穴あけ部材の（ａ）は正面図、（ｂ）は右側面図である。
【図１３】容器を回収するときの使用状態を示す説明図である。
【図１４】容器を掴んだ状態を示す説明図である。
【図１５】穴あけ部材を容器に差し込んだ状態を示す説明図である。
【考案を実施するための形態】
【００２４】
本考案の内容物処理具の一実施形態について図面に基づいて説明する。以下の説明において、図面に矢印が付される場合には、Ｆを前、Ｂを後ろ、Ｒを右、Ｌを左、Ｕを上、Ｄを下、とする。
【００２５】
内容物処理具１０は、ステンレス製で、概略的には、図１〜５等に示すように、上ユニット２０と、下ユニット４０と、可動掴み部１５と、穴あけ部材１７０とが、組み合わされて構成され、本体部１１と、把持部１２と、掴み部１３と、を備える構成とされている。
【００２６】
上ユニット２０は、図１〜３、６等に示すように、四角筒状に形成されている。上ユニット２０の前壁２０ａ及び右壁２０ｂには、外面から内面まで貫通する貫通孔として形成されたガイド孔２１が配設されている。
【００２７】
ガイド孔２１は、前ガイド孔２２と、右ガイド孔２３と、で構成されている。
【００２８】
前ガイド孔２２は、前壁２０ａに上下方向に沿って直線状に形成され、右ガイド孔２３は、連設する前ガイド孔２２の上端部から後側に向かう横孔部２３ａと、横孔部２３ａから下側に向かう縦孔部２３ｂと、を有して、下側に屈曲するＬ字状に形成されている。
【００２９】
上ユニット２０の上端部には、平板状で、後述する操作部材９３を挿通可能な図示しない挿通孔を有した上ガイド部材２５が取り付けられている。
【００３０】
上ユニット２０の下端部には、平板状で、後述する操作部材９３及び穴あけ部材１７０を、挿通可能な図示しない挿通孔を有した下ガイド部材２６が取り付けられている。
【００３１】
下ユニット４０は、図１〜５、７、８等に示すように、一対の第一形成部材５０及び第二形成部材７０を、前後方向において対向させた状態で、組み合わせて構成されている。
【００３２】
第一形成部材５０は、上下方向に長い平板状に形成され、本体５１と、後側に向かって長尺板状に突出する右壁形成片５２と、後側に向かって長尺板状に突出する左壁形成片５３と、を有している。第一形成部材５０の下部には、前側に向かって拡開するように折り曲げられた縦部５４と、縦部５４から右側に延びるように形成された横部５５と、が配設されている。横部５５には、自由端側の下側が、斜めに切り欠かれた逃がし部５５ａが配設されている。横部５５の上面が、容器Ｖを受け止める受止面５５ｂとされる。
【００３３】
第一形成部材５０の上下方向における中央部、かつ、本体５１の右壁形成片５２とは反対側には、前後方向に貫通する軸孔５６が配設されている。
【００３４】
第二形成部材７０は、上下方向に長い平板状に形成され、本体７１と、前側に向かって長尺板状に突出する右壁形成片７２と、前側に向かって長尺板状に突出する左壁形成片７３と、を有している。第二形成部材７０の下部には、後側に向かって拡開するように折り曲げられた縦部７４と、縦部７４から右側に延びるように形成された横部７５と、が配設されている。横部７５には、自由端側の下側が、斜めに切り欠かれた逃がし部７５ａが配設されている。横部７５の上面が、容器Ｖを受け止める受止面７５ｂとされる。
【００３５】
第二形成部材７０の上下方向における中央部、かつ、本体７１の右壁形成片７２とは反対側には、前後方向に貫通する軸孔７６が配設されている。
【００３６】
第一形成部材５０と第二形成部材７０が、前後方向において、鏡像関係となるように配置され、右壁形成片５２、右壁形成片７２において、複数箇所でリベットプレート４１を介してねじ止めされるとともに、横部５５、横部７５間及び縦部５４、縦部７４間の上側において、円柱状のスペーサ４２を架け渡すように取り付けて、一体化することで下ユニット４０が構成される。また、下ユニット４０を構成する軸孔５６、軸孔７６の右側には、平板状で、後述する穴あけ部材１７０を挿通可能な図示しない挿通孔を有した保持プレート４３が取り付けられている。
【００３７】
上ユニット２０の下部の外側に、下ユニット４０の上部が外側から嵌めまれ、重なり合う部分でねじ止めされて、上ユニット２０と下ユニット４０とが一体化される。
【００３８】
以上のことより、本実施形態では、本体部１１は、上ユニット２０と、下ユニット４０の縦部５４、縦部７４と、横部５５、横部７５とを除いた部分とで構成され、上下方向に長い長尺状に形成されていることになる。また、縦部５４、縦部７４と、横部５５、横部７５と、で固定掴み部１４が構成されている。また、固定掴み部１４は、一対の固定掴み片で構成されていることになる。
【００３９】
本体部１１を構成する、第一形成部材５０と、第二形成部材７０の間には、内容物が作業者Ｐとは反対側に吐出されることを防ぐ防壁４４が配設されている。防壁４４は、屈曲した平板状に形成され、スペーサ４２と、保持プレート４３により、本体部１１に取り付けられている。
【００４０】
把持部１２は、図１〜３、５、１１等に示すように、一対のハンドルステー９０、ハンドルステー９１と、グリップ９２と、手で操作可能な操作部材９３と、で構成されている。
【００４１】
一対のハンドルステー９０、ハンドルステー９１は、上ユニット２０の上端部の右壁２０ｂと左壁２０ｃから、それぞれ上側に向かって延びるように取り付けられている。
【００４２】
グリップ９２は、円柱状に形成され、左右方向において、一対のハンドルステー９０、ハンドルステー９１、の上端部間に架け渡されるように取り付けられている。
【００４３】
操作部材９３は、左右方向に延びる操作部９３ａと、操作部９３ａから下側に延びる杆部９３ｂと、を有して略Ｔ字状に形成され、下端部において、後述するリンクユニット１１０と連結されている。
【００４４】
操作部材９３は、杆部９３ｂが、把持部１２内から、上ガイド部材２５、下ガイド部材２６の順に挿通するように配されている。
【００４５】
リンクユニット１１０は、図１、２、４、５等に示すように、長尺な平板状に形成された一対のリンクプレート１１１と、一対のリンクプレート１１１間に、一対のリンクプレート１１１を回動可能に架け渡されるように取り付けられるカラー１１２と、で構成されている。
【００４６】
杆部９３ｂに対して回動可能にカラー１１２が連結され、操作部材９３の杆部９３ｂの外側、かつ、カラー１１２と、下ガイド部材２６との間には、コイルばね１２０が配設されている。コイルばね１２０によって、操作部材９３は、下側に付勢されている。
【００４７】
可動掴み部１５は、図１〜５、９、１０等に示すように、一対の第三形成部材１３０及び第四形成部材１５０を、前後方向において対向させた状態で、組み合わせて構成されている。
【００４８】
第三形成部材１３０は、長尺平板状の軸支部１３１と、三日月形状に形成された掴み片部１３２と、軸支部１３１と掴み片部１３２とを前後方向における位置が異なるように拡開して形成された拡開部１３３と、を有している。軸支部１３１には、前後方向において貫通する、上軸孔１３１ａと、下軸孔１３１ｂと、が配設されている。
【００４９】
第四形成部材１５０は、長尺平板状の軸支部１５１と、三日月形状に形成された掴み片部１５２と、軸支部１５１と掴み片部１５２とを前後方向における位置が異なるように拡開して形成された拡開部１５３と、を有している。軸支部１５１には、前後方向において貫通する、上軸孔１５１ａと、下軸孔１５１ｂと、が配設されている。
【００５０】
第三形成部材１３０と第四形成部材１５０が、前後方向において、鏡像関係となるように配置され、掴み片部１３２、掴み片部１５２間の自由端となる側において、一対の、表柱部材１４０と、裏柱部材１４１と、を架け渡すように取り付けて、一体化することで可動掴み部１５が構成される。
【００５１】
可動掴み部１５は、リンクユニット１１０の下端部において、軸部材１１５を用いて前後方向を軸として、リンクユニット１１０に対して回動可能に軸支されている。リンクユニット１１０は、上端部において操作部材９３と、下端部において可動掴み部１５と、前後方向を軸として、軸支されていることになる。
【００５２】
また、軸孔５６と下軸孔１３１ｂ、軸孔７６と下軸孔１５１ｂとを連通させて、軸部材１４２を挿通させることにより、可動掴み部１５は、下ユニット４０に対して、前後方向を軸として、本体部１１に対して回動可能に軸支されている。
【００５３】
操作部材９３を手で上側に移動させると、可動掴み部１５が、固定掴み部１４に向かって回動する。また、その状態から、操作部材９３から手を離すと、可動掴み部１５が、コイルばね１２０の付勢力により、固定掴み部１４から遠ざかるように回動する。
【００５４】
穴あけ部材１７０は、図１〜４、１２等に示すように、円筒状に形成されている。穴あけ部材１７０の先端部１７１には、穴あけ部材１７０の軸線方向からみて、一端側と他端側の壁が、略三角形状に切り欠かれて形成された、切欠き１７２が配設されている。穴あけ部材１７０の切欠き１７２の近傍には、穴あけ部材１７０の軸線方向において長い貫通孔として形成された、逃がし穴１７３が配設されている。
【００５５】
穴あけ部材１７０の上端部には、軸線方向に直交する方向に延びる操作レバー１７５が配設されている。操作レバー１７５と、逃がし穴１７３とは、穴あけ部材１７０の軸線方向からみて、９０度の位相差を有するように配されている。
【００５６】
穴あけ部材１７０は、下ガイド部材２６、保持プレート４３を挿通するとともに、ガイド孔２１から操作レバー１７５が突出するように配されている。
【００５７】
操作レバー１７５は、上ユニット２０のガイド孔２１を挿通するとともに、ガイド孔２１内を移動可能に配され、右ガイド孔２３の縦孔部２３ｂの下端部にあって係止状態にあるときが待機位置とされ、前ガイド孔２２の下端部にあるときが進出位置とされる。
【００５８】
以上のことより、操作レバー１７５とガイド孔２１とで、保持手段１６が構成され、本体部１１及び穴あけ部材１７０には、本体部１１と穴あけ部材１７０とが係止することにより、待機位置に保持する保持手段１６が配設されていることになる。
【００５９】
穴あけ部材１７０は、保持プレート４３、下ガイド部材２６によって移動方向を上下方向に規制された状態で、軸線を軸として回動可能とされている。
【００６０】
カバー部材１９０は、図１〜５等に示すように、下端部が屈曲した板状に形成され、上端部で、本体部１１を構成する右壁形成片５２、右壁形成片７２の下部において、蝶番１９１により前後方向を軸として軸支されている。
【００６１】
カバー部材１９０は、本体部１１に軸支される部位以外の部位で、一対の第三形成部材１３０と第四形成部材１５０（掴み片間）に架け渡された一対の表柱部材１４０と、裏柱部材１４１により、カバー部材１９０の回動方向において挟まれるように配されている。
【００６２】
このような構成により、カバー部材１９０の回動軸と可動掴み部１５の回動軸とを異ならせて、一対の表柱部材１４０、裏柱部材１４１で、カバー部材１９０の回動方向においてカバー部材１９０を挟むことで、カバー部材１９０の移動を許容して、本体部１１と干渉することを防止する。
【００６３】
内容物処理具１０の使用態様を説明する。作業者Ｐは、図１３に示すように、可動掴み部１５の回動軸に直交する方向で作業者Ｐが正対し、かつ、可動掴み部１５が作業者側となるように、内容物処理具１０の把持部１２を一方の手で持つ。
【００６４】
そして、掴み部１３が前で、把持部１２が後となるように、傾けた状態にして、作業者Ｐは、前進していく。このとき、操作部材９３には手を掛けていない状態なので、可動掴み部１５が、コイルばね１２０の付勢力により、固定掴み部１４から離隔した状態となっている。
【００６５】
また、操作レバー１７５は、右ガイド孔２３の縦孔部２３ｂとの下端部にあって係止された状態で、穴あけ部材１７０は、待機位置にある。
【００６６】
廃棄されたペットボトル等の容器Ｖを見つけたら、固定掴み部１４と可動掴み部１５の間に、容器Ｖが来るように内容物処理具１０を動かす。このとき、容器Ｖを掴み部１３で挟み込むときに、逃がし部５５ａ、逃がし部７５ａにより、地面と固定掴み部１４が干渉することを抑制できる。
【００６７】
そして、図１４に参照するように、内容物処理具１０を垂直になるように動かすとともに、操作部材９３を手で上側に移動させ、可動掴み部１５を固定掴み部１４に向かって回動させて、容器Ｖを掴み部１３で挟み込む。
【００６８】
このとき、可動掴み部１５の回動軸方向からみて、可動掴み部１５の固定掴み部１４の縦部５４、縦部７４と横部５５、横部７５の二か所で容器Ｖと接したうえで、可動掴み部１５で挟み込むことになるので、容器Ｖを掴みやすい。
【００６９】
また、カバー部材１９０の回動軸と可動掴み部１５の回動軸とを異ならせて、一対の表柱部材１４０と、裏柱部材１４１で、カバー部材１９０の回動方向において、隙間を有してカバー部材１９０が挟まれているため、カバー部材１９０が、本体部１１と干渉することを防止できるので、可動掴み部１５の可動領域を確保することが可能となる。
【００７０】
さらに、その状態から、図１５に参照するように、操作レバー１７５を他方の手で、右ガイド孔２３の縦孔部２３ｂから、横孔部２３ａ、前ガイド孔２２の順に移動させ、前ガイド孔２２の下端部、つまり、進出位置まで移動させる。
【００７１】
このとき、穴あけ部材１７０により、容器Ｖの壁を貫通して穴が形成され、容器Ｖの内容物が吐出される。
【００７２】
また、切欠き１７２により、作業者Ｐの前後方向、換言すれば、可動掴み部１５の回動軸に直交する方向に、内容物の吐出を誘動したうえで、作業者Ｐに向かう内容物はカバー部材１９０で防ぎ、作業者Ｐとは反対側に向かう内容物は防壁４４で防ぐ構成として、作業者Ｐに内容物が付着することを防止する。
【００７３】
さらに、穴あけ部材１７０で容器Ｖの壁を貫通して穴を形成するときに、逃がし穴１７３から入る空気により、内容物を飛び散らなくさせることが可能となる。それに加えて、逃がし穴１７３は、容器Ｖの破片による、穴あけ部材１７０の詰まりを防止する。
【００７４】
また、掴み部１３で容器Ｖを掴んだ状態において、穴あけ部材１７０は、一対の固定掴み片と、一対の可動掴み片に、干渉しないように移動することにより、容器Ｖの壁を貫通して穴を形成することになるので、容器Ｖの壁を貫通する作業性を向上させる。
【００７５】
さらに、穴あけ部材１７０が、進出位置に移動したときの、先端部１７１の位置は、固定掴み部１４の横部５５、横部７５の、容器Ｖを受け止める受止面５５ｂ、受止面７５ｂを超えた位置とされているため、容器Ｖの、上側の周壁と、下側の周壁と、の二か所に穴を形成可能となるので、容器Ｖの内容物を確実に排出することが可能となる。
【００７６】
容器Ｖの内容物が排出されたら、図１５の状態から、操作レバー１７５を他方の手で、前ガイド孔２２の下端部から、前ガイド孔２２の、横孔部２３ａ、縦孔部２３ｂ順に移動させ、つまり、穴あけ部材１７０を待機位置まで移動させるとともに、操作部材９３から手を離して、可動掴み部１５を固定掴み部１４から離隔させて（図１参照）、容器Ｖを回収する。
【００７７】
上記構成の考案では、容器Ｖの内容物を排出するための内容物処理具であって、
長尺状の本体部１１と、本体部１１の一端側に配設される把持部１２と、本体部１１の他端側に配設される掴み部１３と、を備え、
把持部１２及び本体部１１には、手で操作可能な操作部材９３が配設され、
掴み部１３は、固定掴み部１４と、本体部１１に軸支され、固定掴み部１４に対して回動可能な可動掴み部１５と、を有し、
操作部材９３と可動掴み部１５とが連結され、
操作部材９３の操作により、可動掴み部１５が固定掴み部１５に対して接近・離隔可能とされ、
本体部１１には、本体部１１の長手方向に沿って、待機位置と進出位置との間を移動可能とされ、掴み部１３で容器Ｖを掴んだ状態において、容器Ｖの壁を貫通して穴を形成させる穴あけ部材１７０が配設されている。
【００７８】
これによれば、固定掴み部１４で容器Ｖを受け止め、可動掴み部１５で挟み込むことで、様々な形状の容器Ｖを掴めるようにしたうえで、掴み部１３で容器Ｖを掴んだ状態において、穴あけ部材１７０により、容器Ｖの壁を貫通して穴を形成させて、容器Ｖの内容物を排出させることが可能となるので、手を触れずに容器Ｖの内容物を処理することができる。
【００７９】
また、可動掴み部１５の回動軸に直交する方向で作業者Ｐが正対し、かつ、可動掴み部１５が作業者Ｐ側となるように使用され、
穴あけ部材１７０は、筒状に形成され、軸線を軸として回動可能とされ、
穴あけ部材１７０の先端部１７１には、穴あけ部材１７０の軸線方向からみて、一端側と他端側の壁が切り欠かれて形成された、切欠き１７２が配設され、
穴あけ部材１７０が容器Ｖの壁を貫通するときに、切欠き１７２が、可動掴み部１５の回動軸に直交する方向に配され、
可動掴み部１５には、内容物が作業者Ｐに吐出されることを防ぐカバー部材１９０が配設され、
少なくとも本体部１１の下部には、内容物が作業者Ｐとは反対側に吐出されることを防ぐ防壁４４が配設されている。
【００８０】
これによれば、作業者Ｐの前後方向、換言すれば、可動掴み部１５の回動軸に直交する方向に、内容物の吐出を誘動したうえで、作業者Ｐに向かう内容物はカバー部材１９０で防ぎ、作業者Ｐとは反対側に向かう内容物は防壁４４で防ぐ構成として、作業者Ｐに内容物が付着することを防止できる。
【００８１】
また、穴あけ部材１７０の切欠き１７２の近傍には、穴あけ部材１７０の軸線方向において長い貫通孔として形成された、逃がし穴１７３が配設され、
穴あけ部材１７０が容器Ｖの壁を貫通するときに、逃がし穴１７３が、可動掴み部１５とは反対側に配される。
【００８２】
これによれば、穴あけ部材１７０で容器Ｖの壁を貫通して穴を形成するときに、逃がし穴１７３から入る空気により、内容物を飛び散らなくさせることが可能となる。さらに、容器Ｖの破片による、穴あけ部材１７０の詰まりの清掃を容易にすることが可能となる。
【００８３】
また、固定掴み部１４は、縦部５４、縦部７４と、縦部５４、縦部７４に直交する横部５５、横部７５と、を有して、可動掴み部１５の回動軸線方向からみて略Ｌ字状で形成されている。
【００８４】
これによれば、固定掴み部１４の縦部５４、縦部７４と横部５５、横部７５の二か所で容器Ｖと接したうえで、可動掴み部１５で挟み込むことになるので、容器Ｖを掴みやすくすることができる。
【００８５】
また、固定掴み部１４は、一対の固定掴み片（第一形成部材５０の下部及び第二形成部材７０の下部）で構成され、
可動掴み部１５は、一対の可動掴み片（第三形成部材１３０、第四形成部材１５０）で構成され、
穴あけ部材１７０は、一対の固定掴み片（第一形成部材５０の下部及び第二形成部材７０の下部）間、かつ、前記一対の可動掴み片（第三形成部材１３０、第四形成部材１５０）間、を移動可能とされている。
【００８６】
これによれば、掴み部１３で容器Ｖを掴んだ状態において、穴あけ部材１７０は、一対の固定掴み片（第一形成部材５０の下部及び第二形成部材７０の下部）と、一対の可動掴み片（第三形成部材１３０、第四形成部材１５０）に、干渉しないように移動することにより、容器Ｖの壁を貫通して穴を形成することになるので、容器Ｖの壁を貫通する作業性を向上させることができる。
【００８７】
また、カバー部材１９０は、
一端側で本体部１１に軸支され、
本体部１１に軸支される部位以外の部位で、一対の可動掴み片（第三形成部材１３０、第四形成部材１５０）間に架け渡された一対の表柱部材１４０、裏柱部材１４１により、カバー部材１９０の回動方向において、隙間を有して挟まれるように配されている。
【００８８】
これによれば、カバー部材１９０を可動掴み部１５に直接固定すると、可動掴み部１５を回動させるときに、カバー部材１９０が、本体部１１と干渉するおそれがあるが、カバー部材１９０の回動軸と可動掴み部１５の回動軸とを異ならせて、一対の表柱部材１４０と、裏柱部材１４１で、カバー部材１９０の回動方向において、隙間を有してカバー部材１９０を挟むことで、本体部１１と干渉することを防止できるので、可動掴み部１５の可動領域を確保することが可能となる。
【００８９】
また、穴あけ部材１７０が、進出位置に移動したときの、前記先端部１７１の位置は、固定掴み部１４の横部５５、横部７５の、容器Ｖを受け止める受止面５５ｂ、受止面７５ｂを超えた位置とされている。
【００９０】
これによれば、容器Ｖの、一端側の周壁と、他端側の周壁と、の二か所に穴を形成可能となるので、容器Ｖの内容物を確実に排出することが可能となる。
【００９１】
また、固定掴み部１４の横部５５、横部７５の先端側の地面に対向する側には、斜めに切り欠かれた逃がし部５５ａ、逃がし部７５ａが配設されている。
【００９２】
これによれば、容器Ｖを掴み部１３で挟み込むときに、地面と固定掴み部１４が干渉することを抑制できるので、掴み部１３で容器Ｖを掴む作業性を向上させることができる。
【００９３】
また、本体部１１及び穴あけ部材１７０には、本体部１１と穴あけ部材１７０とが係止することにより、待機位置に保持する保持手段１６が配設されている。
【００９４】
これによれば、穴あけ部材１７０を使用しないときに、穴あけ部材１７０が移動して、作業者Ｐが怪我をすることを防止することができる。
【００９５】
本考案の内容物処理具は上記構成に限定されるものではない。即ち、本考案の要旨を逸脱しない限り各種の設計変更等が可能である。以下に、変形した態様を例示する。
【００９６】
例えば、固定掴み部１４は、一対の固定掴み片（第一形成部材５０の下部及び第二形成部材７０の下部）で構成され、可動掴み部１５は、一対の可動掴み片（第三形成部材１３０、第四形成部材１５０）で構成されていたが、中実な柱状の部材で構成することもできる。
【００９７】
また、防壁４４は、固定掴み部１４にも配設することも可能である。
【００９８】
また、内容物処理具１０を構成する部材の材質は、ステンレス以外の金属、合成樹脂等、適宜変更することができる。
【００９９】
また、可動掴み部１５は、固定掴み部１４に軸支することも可能である。
【符号の説明】
【０１００】
１０  内容物処理具
１１  本体部
１２  把持部
１３  掴み部
１４  固定掴み部
１５  可動掴み部
１６  保持手段
４４  防壁
５０  第一形成部材
５４  縦部
５５  横部
５５ａ  逃がし部
５５ｂ  受止面
７０  第二形成部材
７４  縦部
７５  横部
７５ａ  逃がし部
７５ｂ  受止面
９３  操作部材
１３０  第三形成部材
１４０  表柱部材
１４１  裏柱部材
１５０  第四形成部材
１７０  穴あけ部材
１７１  先端部
１７２  切欠き
１７３  逃がし穴
１９０  カバー部材
Ｐ  作業者
Ｖ  容器
【図１】
0003233380.tif 000003
【図２】
0003233380.tif 000004
【図３】
0003233380.tif 000005
【図４】
0003233380.tif 000006
【図５】
0003233380.tif 000007
【図６】
0003233380.tif 000008
【図７】
0003233380.tif 000009
【図８】
0003233380.tif 000010
【図９】
0003233380.tif 000011
【図１０】
0003233380.tif 000012
【図１１】
0003233380.tif 000013
【図１２】
0003233380.tif 000014
【図１３】
0003233380.tif 000015
【図１４】
0003233380.tif 000016
【図１５】
0003233380.tif 000017